(57)【要約】【課題】建築現場において面材同士の空隙部を断熱する際に、簡便且つ安価に所定の充填密度を満たし得る、建築物の断熱構造及びその施工方法ｓを提供する。【解決手段】本発明の断熱構造２０は、ユニット構造体１Ａ、１Ｂのジョイント部における外壁パネル体２Ａ、２Ｂの空隙部６に、綿状断熱材１１を気密フィルム１２でパッキングした空隙用断熱体１０が、折り曲げられた状態で充填されている。【選択図】    図１
2004300789.tif 000002
【特許請求の範囲】
【請求項１】
建築物における床、壁等の面材が互いに隣接して形成された空隙部の断熱構造において、
前記空隙部には、綿状断熱材を気密フィルムでパッキングした空隙用断熱体が、折り曲げられた状態で充填されていることを特徴とする建築物の断熱構造。
【請求項２】
前記空隙用断熱体は、前記綿状断熱材が前記空隙部の大きさに応じて所定の充填密度を満たすように圧縮されていることを特徴とする請求項１記載の建築物の断熱構造。
【請求項３】
前記空隙用断熱体は、二つ折りにされた状態でその折り返し部が前記空隙部の奥側に配置されていることを特徴とする請求項１又は２の何れかに記載の建築物の断熱構造。
【請求項４】
請求項１乃至３の何れかに記載の空隙用断熱体であって、
前記綿状断熱材は、その厚さが前記空隙部の間隔の所定の倍数程度に設定され、その折り曲げ方向の長さが前記面材の厚さの２倍程度に設定されていることを特徴とする空隙用断熱体。
【請求項５】
請求項１乃至３の何れかに記載の空隙用断熱体であって、
前記綿状断熱材は、所定の充填密度に圧縮され、準耐火構造におけるファイアストップ機能を有することを特徴とする空隙用断熱体。
【請求項６】
建築物における床、壁等の面材が互いに隣接して形成された空隙部を断熱する断熱構造の施工方法において、
綿状断熱材を気密フィルムでパッキングした空隙用断熱体を用い、
前記空隙用断熱体を折り曲げて前記空隙部に差し込んで充填し、
前記綿状断熱材を圧縮させることを特徴とする建築物の断熱構造の施工方法。
【請求項７】
前記綿状断熱材の厚さを前記空隙部の間隔より大きくした前記空隙用断熱体を、二つ折りにして前記空隙部に差し込むことを特徴とする請求項６記載の建築物の断熱構造の施工方法。
【請求項８】
前記空隙用断熱体を差し込む際に平板状治具を用い、該平板状治具を挟んで二つ折りにした前記空隙用断熱体を前記空隙部に差し込むことを特徴とする請求項６又は７の何れかに記載の建築物の断熱構造の施工方法。
【請求項９】
前記空隙用断熱体を、前記空隙部における前記面材の長手方向に複数充填し、前記綿状断熱材を該長手方向に圧縮させることを特徴とする請求項６乃至８の何れかに記載の建築物の断熱構造の施工方法。
【発明の詳細な説明】
【０００１】
【発明の属する技術分野】
本発明は、建築物における床面材、壁面材等の面材が互いに隣接して形成された空隙部の断熱構造及びその施工方法に関し、特に、ユニット式建築物におけるユニット構造体が隣接して形成された空隙部を断熱する技術に関する。
【０００２】
【従来の技術】
近年、住宅等の建築物を構築するにあたって、居室等のユニット構造体を、工場で製造した後、建築現場で、それぞれ連結して組み立てるようにしている。この際、ユニット構造体を構成する面材には、予め、断熱材を工場で充填できるが、ユニット構造体のジョイント部における面材同士の空隙部については、建築現場で断熱施工しなければならない。
【０００３】
従来より、このような断熱施工においては、例えば、発泡ポリスチレンからなる棒状の断熱材を、面材同士の空隙部に複数充填している。
また、互いに隣接するユニット構造体のうち、予め、工場において、一方の面材の端部に、断熱材を圧縮した状態で取り付けておき、建築現場において、他方の面材を一方の面材に配置した後に、断熱材の圧縮状態を解除し、その復元した断熱材を面材同士の空隙部に充填するようにしている（特許文献１参照）。
【０００４】
【特許文献１】
特開平８−４１５１号公報
【０００５】
【発明が解決しようとする課題】
上記棒状の断熱材を用いた従来技術にあっては、空隙部において円形断面の断熱材を充填して所定の充填密度にするためには、多数の断熱材を用いなければならず、その手間がかかると共にコスト高になるという問題があった。
また、上記特許文献１に示された従来技術にあっては、一旦圧縮した断熱材を、復元して空隙部に充填しているため、防火の観点から高密度が要求される場合、その充填密度を満たすことができないおそれがあった。
【０００６】
従って、本発明の目的は、建築現場において面材同士の空隙部を断熱する際に、簡便且つ安価に所定の充填密度を満たし得る、建築物の断熱構造及びその施工方法を提供することにある。
【０００７】
【課題を解決するための手段】
本発明は、建築物における床、壁等の面材が互いに隣接して形成された空隙部の断熱構造において、前記空隙部には、綿状断熱材を気密フィルムでパッキングした空隙用断熱体が、折り曲げられた状態で充填されていることを特徴とする建築物の断熱構造を提供することにより前記目的を達成したものである。
【０００８】
また、本発明は、建築物における床、壁等の面材が互いに隣接して形成された空隙部を断熱する断熱構造の施工方法において、綿状断熱材を気密フィルムでパッキングした空隙用断熱体を用い、前記空隙用断熱体を折り曲げて前記空隙部に差し込んで充填し、前記綿状断熱材を圧縮させることを特徴とする建築物の断熱構造の施工方法を提供することにより前記目的を達成したものである。
【０００９】
本発明の場合、空隙用断熱体を折り曲げて空隙部に差し込むだけで、空隙部における充填密度を所望の値にすることができるため、建築現場において、空隙部の断熱を簡便且つ安価に行うことができる。
【００１０】
【発明の実施の形態】
以下本発明の建築物の断熱構造及びその施工方法及びの好ましい一実施形態を図面を参照して説明する。
図１及び図２（ｃ）に示すように、本実施形態の断熱構造２０は、建築物における床、壁等の面材が互いに隣接して形成された空隙部６に、綿状断熱材１１を気密フィルム１２でパッキングした空隙用断熱体１０が、折り曲げられた状態で充填されている。
【００１１】
本実施形態の断熱構造の施工方法は、建築物において、互いに隣接した面材同士の空隙部であればその適用範囲が特に限定されるものでないが、本実施形態では、ユニット構造体１のジョイント部における外壁パネル体２同士の空隙部６に適用された形態を述べる。
【００１２】
まず、ユニット構造体１（１Ａ、１Ｂ）及び外壁パネル体２（２Ａ、２Ｂ）を、図１又は図２（ａ）を参照して説明する。
ユニット構造体１は、ユニット式建築物の構成単位をなすもので、ジョイント部における間隔ｄ（例えば約２５ｍｍ）を離して、互いに結合されている。
外壁パネル体２は、ユニット構造体１における外壁面の一つをなすものであり、立設された複数の構造柱３に対し、外側から外壁パネル材４が貼付されると共に、内側から内壁パネル材（図示しない）が貼付されて構成されている。
互いに隣接したユニット構造体１Ａ、１Ｂにおける外壁パネル体２Ａ、２Ｂ同士には、間隔ｄの空隙部６が形成されることになる。
【００１３】
なお、外壁パネル体２の内部には、断熱材としてのグラスウール７が充填されており、その充填密度は、１６Ｋ（［Ｋ］＝［ｋｇ／ｍ３］）に設定されている。この断熱施工は、工場で、外壁パネル体２の製造工程において行われる。
【００１４】
次に、本実施形態に用いられる空隙用断熱体１０及び平板状治具１３を、図３を参照して説明する。
空隙用断熱体１０は、綿状断熱材１１が気密フィルム１２によりパッキングされてなる。
綿状断熱材１１は、断熱、防火、防音等の機能を有するほか、所定の圧縮率（例えば１／１０程度）を有する材料が好ましく、このような材料として、例えば、グラスウール、ロックウール等の鉱物繊維からなる断熱材が用いられる。本実施形態では、綿状断熱材としてグラスウール１１を用いている。
【００１５】
グラスウール１１の充填密度は、断熱及び防火の観点から、４０Ｋ程度が好ましいが、詳細後述するように、その体積が充填の際に１／４程度に圧縮されるため、無荷重状態の密度が１０Ｋ程度で足りる。
【００１６】
グラスウール１１の厚さｔは、二つ折りの状態で充填した際に体積を１／４程度に圧縮させる観点から、空隙部６の間隔ｄの２倍程度（約５０ｍｍ）に設定されている。
グラスウール１１の幅Ｗ（折り曲げ方向の長さ）は、二つ折りにした長さを外壁パネル材２の厚さ（約９１０ｍｍ）とほぼ同一にする観点から、その外壁パネル材１１の厚さの２倍程度（約１８００ｍｍ）に設定されている。
【００１７】
グラスウール１１の長さＬは、特に限定されるものでないが、外壁パネル材２の高さ方向に複数充填する際に、作業者が両手で行える範囲の値であってその整数倍値が外壁パネル体２の高さ（２７００ｍｍ）になることが好ましく、例えば、９００ｍｍ程度であれば足りるが、本実施形態では、充填した際にさらに圧縮させる観点から、約９１０ｍｍに設定されている。
【００１８】
気密フィルム１２は、グラスウール１１を密封してその気密性及び防湿性を保持する機能を有するほか、折り曲げる際の可撓性や、差し込む際の円滑性を有する材料が好ましく、このような材料として、例えば、ポリエチレン系樹脂フィルムが用いられる。
【００１９】
平板状治具１３は、二つ折りにした空隙用断熱体１０に対し差し込む際に必要な剛性を与えるものであればよく、例えば、その幅Ｗ’が、空隙用断熱体１０の幅Ｗ（グラスウール１１の幅Ｗと同じ、以下同様）の半分より大きく、その長さＬ’が空隙用断熱体１０の長さＬと同程度の薄板鋼板が用いられる。
【００２０】
次に、本実施形態の断熱構造の施工方法を、断熱構造と併せて説明する。
図１及び図２（ａ）に示すように、建築現場において、ユニット構造体１Ａ、１Ｂを互いに結合した後、それぞれの外壁パネル体２Ａ、２Ｂの間に形成された空隙部６に対し、屋外から、空隙用断熱体１０を差し込むが、この際、空隙用断熱体１０に平板状治具１３を挟んで二つ折りにし、その折り返し部分を空隙部６に向けて挿入する。
【００２１】
この場合、二つ折りにした空隙用断熱体１０は、空隙部６の間隔ｄの約４倍の厚さ（約１００ｍｍ）になるが、気密フィルム１２からの円滑性、及び平板状治具１３からの剛性を得て、円滑に空隙部６に挿入される。
【００２２】
その後、図２（ｂ）に示すように、平板状治具１３を抜き取る。ここでは、空隙部６に、空隙用断熱体１０が二つ折りにされて充填されている。二つ折りにした空隙用断熱体１０の厚さが、空隙部６の間隔ｄになるため、空隙用断熱体１０の体積が、無荷重状態の体積に対して１／４程度に圧縮される。これにより、空隙部６におけるグラスウール１１の充填密度は、約４０Ｋになり、グラスウール１１は、準耐火構造におけるファイアストップ機能を有することになる。
【００２３】
図１に示すように、かかる作業を、外壁パネル体２の高さ方向につき、高部位、中部位、低部位の３箇所に行う。この場合、空隙用断熱体１０の体積が、グラスウール１１の総長（約２７３０ｍｍ）と外壁パネル体２の高さとの差に相当する体積分だけ圧縮されるため、グラスウール１１の充填密度は、４０Ｋより幾分大きな値になる。
【００２４】
その後、図２（ｃ）に示すように、互いに隣接する外壁パネル材２Ａ、２Ｂの間に、連結パネル材５を貼付し、外壁パネル体２Ａ、２Ｂ同士の空隙部６を遮蔽する。
以上のような断熱施工を経て、本実施形態の断熱構造２０が構築される。
【００２５】
以上述べたように、本実施形態によれば、空隙用断熱体１０を二つ折りにして空隙部６に差し込むだけで、空隙部６における充填密度を所望の値にすることができるため、建築現場において、空隙部６の断熱を簡便且つ安価に行うことができる。
【００２６】
かかる点について、本実施形態の場合、特に、以下に示すような効果を奏する。
グラスウール１１の厚さｔを、空隙部６の間隔ｄに応じて大きく設定したため、断熱、防火等の観点から、空隙部６における充填密度を、無荷重状態の密度から一定の値に大きくして容易に規制することができる。その結果、建築現場において、作業者の技量に依らず断熱の品質を安定させることができる。
また、空隙用断熱体１０を差し込む際に平板状治具１３を用いたため、空隙用断熱体１０に剛性をもたせてその差し込み作業を簡便に行うことができる。
さらに、空隙用断熱体１０をさらに圧縮した状態で外壁パネル体２の高さ方向に複数充填したため、ユニット構造体１のジョイント部において、断熱性、気密性、防火性等の向上を図ることができる。
【００２７】
また、本実施形態によれば、グラスウール１１の大きさについて、その厚さｔを空隙部６の間隔ｄの２倍程度に設定し、その幅Ｗを外壁パネル体２の厚さの２倍程度に設定したため、ユニット構造体１の専用品としての空隙用断熱体１０を得ることができる。
【００２８】
さらに、本実施形態によれば、高断熱性、高気密性及び高防火性等を有する断熱構造２０にしたユニット構造体１を得ることができる。
【００２９】
本発明は、上記実施形態に限られることなく、種々の変更等を行うことができる。
例えば、本発明の断熱施工方法は、互いに隣接するユニット構造体のジョイント部において、上記外壁パネル体の空隙部だけでなく、床パネル体の空隙部についても適用することができ、さらに、ユニット式建築物に関わらず、互いに隣接した面材同士の空隙部にも適用することができる。
【００３０】
また、上記実施形態では、グラスウールの厚さｔを、無荷重状態の密度、及び充填密度に応じて２倍にしたが、これに限られず、無荷重状態の密度、及び充填密度の変更に応じて変倍することができる。
【００３１】
【発明の効果】
本発明によれば、建築現場において面材同士の空隙部を断熱する際に、簡便且つ安価に所定の充填密度を満たし得る、建築物の断熱構造及びその施工方法を得ることができる。
【図面の簡単な説明】
【図１】本実施形態の断熱施工方法の説明に用いる斜視図である。
【図２】（ａ）は、空隙用断熱体を差し込む前の状態を示す平面図、
（ｂ）は、空隙用断熱体を差し込んだ後の状態を示す平面図、
（ｃ）は、断熱構造の施工方法の終了した状態（断熱構造）を示す平面図である。
【図３】本実施形態に用いられる空隙用断熱体及び平板状治具の概略構成を示す斜視図である。
【符号の説明】
６  空隙部
１０  空隙用断熱体
１１  綿状断熱材、グラスウール
１２  気密フィルム
１３  平板状治具
２０  断熱構造
【図１】
2004300789.tif 000003
【図２】
2004300789.tif 000004
【図３】
2004300789.tif 000005